(57)【要約】【課題】折り畳み可能なプラスチック製の物品収納用コンテナであって、側板どうしの連結部の強度を向上させ、破損し難く、耐久性のあるものとする。【解決手段】四側辺を有する底板１と、該底板の対向辺に内側に傾倒し該底板上に重合可能なるように軸支した先倒側板３と、該底板の他方の対向辺に内側に傾倒し前記先倒側板上に重合可能なるように軸支した後倒側板７とからなり、先倒側板の両端縁に該先倒側板の外面より凹窪した凹窪面１２を該先倒側板の上端角部１７より少し下側から下方に延びるように形成し、該凹窪面に係合爪１３を突設するとともに、後倒側板の両端縁に内向延長縁１４を形成し、起立時に前記凹窪面に重合する内向耳片１５を該内向延長縁の上端部１８より少し下側から下方に延びるように形成し、該内向耳片に前記係合爪が係合する透孔１６を形成してなる。【選択図】　図１
2004051115.tif 000002
【特許請求の範囲】
【請求項１】
四側辺を有する底板と、該底板の対向辺に内側に傾倒し該底板上に重合可能なるように軸支した先倒側板と、該底板の他方の対向辺に内側に傾倒し前記先倒側板上に重合可能なるように軸支した後倒側板とからなり、先倒側板の両端縁に該先倒側板の外面より凹窪した凹窪面を該先倒側板の上端角部より少し下側から下方に延びるように形成し、該凹窪面に係合爪を突設するとともに、後倒側板の両端縁に内向延長縁を形成し、起立時に前記凹窪面に重合する内向耳片を該内向延長縁の上端部より少し下側から下方に延びるように形成し、該内向耳片に前記係合爪が係合する透孔を形成してなることを特徴とした折り畳みコンテナ。
【請求項２】
一対の後倒側板はその上端縁が畳み時に略々中心で互いに接近するものである請求項１に記載の折り畳みコンテナ。
【発明の詳細な説明】
【０００１】
【発明の属する技術分野】
本発明は折り畳み可能なプラスチック製の物品収納用コンテナの構造に関するものである。
【０００２】
【従来の技術】
折り畳むことによって容積を縮小できるプラスチック製の物品収納用コンテナは、従来から特開２００２−１０４４０５号公報，特開２００２−１０４４０７号公報，特開２００２−２６９６号公報等により知られているように、四側辺を有する底板と、該底板の対向辺に内側に傾倒し該底板上に重合可能なるように軸支した先倒側板と、該底板の他方の対向辺に内側に傾倒し前記先倒側板上に重合可能なるように軸支した後倒側板とからなるものである。
【０００３】
【発明が解決しようとする課題】
ところで、従来から上記折り畳みコンテナでは、先倒側板の両端縁に該先倒側板の外面より凹窪した凹窪面を形成し、該凹窪面に係合爪を突設するとともに、後倒側板の両端縁に内側に鉤状に折れ曲がり起立時に前記凹窪面に重合する内向耳片を形成し、該内向耳片に前記係合爪が係合する透孔を形成してなり、この係合により先倒側板と後倒側板とが起立状態にて隙間なく連結されるように構成している。
【０００４】
しかしながら上記従来の折り畳みコンテナでは、上記凹窪面を形成したことで肉薄となった先倒側板の両端縁と内向耳片とが組み立て状態のコンテナの上端開口縁に表れるために、その部分の強度が弱くなり、特に上端開口縁に積み重ねられる重量物等をスライドさせた場合等に加わる外力でその連結部が破損し易い欠点があった。
そこで本発明は、上記連結部の構造を改善することにより強度を向上させ破損し難くした折り畳みコンテナを提供するものである。
【０００５】
【課題を解決するための手段】
そのために本発明の折り畳みコンテナは、四側辺を有する底板と、該底板の対向辺に内側に傾倒し該底板上に重合可能なるように軸支した先倒側板と、該底板の他方の対向辺に内側に傾倒し前記先倒側板上に重合可能なるように軸支した後倒側板とからなり、先倒側板の両端縁に該先倒側板の外面より凹窪した凹窪面を該先倒側板の上端角部より少し下側から下方に延びるように形成し、該凹窪面に係合爪を突設するとともに、後倒側板の両端縁に内向延長縁を形成し、起立時に前記凹窪面に重合する内向耳片を該内向延長縁の上端部より少し下側から下方に延びるように形成し、該内向耳片に前記係合爪が係合する透孔を形成してなることを特徴とする。
また、本発明は上記折り畳みコンテナにおいて、一対の後倒側板はその上端縁が畳み時に略々中心で互いに接近するものであることを特徴とする。
【０００６】
【発明の実施の形態】
次に図面に従い本発明の実施の形態を説明する。図１は本発明に係る折り畳みコンテナの斜視図、図２はその折り畳み途中の斜視図、図３はその折り畳み状態の斜視図、図４はその底板の斜視図である。プラスチックの射出成形によって一体に形成された底板１は、四側辺を有し、その一方の対向辺に軸受部２を形成し、該軸受部２に先倒側板３の下縁に突設した支軸４を回転自在に軸支することで、該先倒側板３を内側に傾倒し該底板上に重合可能なるように支持している。また該底板１の他方の対向辺には該先倒側板３の厚さ相当分の起立壁５を一体に形成し該起立壁の上縁に軸受部６を形成し、該軸受部６に後倒側板７の下縁に突設した支軸８を回転自在に軸支することで、該後倒側板７を内側に傾倒し前記先倒側板３上に重合可能なるように支持している。なお、底板１の下面には補強リブ９が格子状に形成されている。また、先倒側板３および後倒側板７は、夫々外面に補強リブ１０，１１を額縁状に形成することで積重時の荷重に耐え得る補強がされている。
【０００７】
また、図５，図７の断面図にも示されるように、先倒側板３の両端縁に該先倒側板の外面より凹窪した凹窪面１２を該先倒側板の上端角部１７を残してこれより少し下側から下方に延びるように形成するとともに、該各凹窪面に複数の係合爪１３を突設する。また、後倒側板の両端には内側に鉤状に折れ曲がる内向延長縁１４が形成され、該内向延長縁１４に内向耳片１５を該内向延長縁１４の上端部１８より少し下側から下方に延びるように形成し、該内向耳片１５に前記係合爪１３が係合する透孔１６を形成している。
【０００８】
また、２０は後倒側板７の両端部にコ字状スリット２１を形成することで形成され内側に楔状に突出する弾性爪片で、後倒側板７を起立させた後に先倒側板３を起立させる途中に該先倒側板３の両端縁が該弾性爪片２０をいったん外側に押圧し該先倒側板３を垂直に起立させたとき該弾性爪片が弾性復元し該先倒側板の両端縁に係合することで該先倒側板３および後倒側板７を起立状態に保持させるものである。
【０００９】
なお、２２は先倒側板３を軸支している底板１の対向辺の両端部に延設された小起立リブで、該小起立リブは先倒側板３を起立させたときに該先倒側板３の両端縁下部前面２３に当接する。なお、該小起立リブ２２の内面に相対している該先倒側板３の両端縁下部前面２３は補強リブ１０の起立高を他部分よりも低く形成することで、該小起立リブ２２との衝突がさけられ該先倒側板３を起立できるようにしている。また、後倒側板７を内側に傾倒させたとき該後倒側板の両端縁下部内面２４が小起立リブ２２に衝突するのを避けるために該両端縁下部内面２４は凹窪状に形成されている。
【００１０】
このように構成した折り畳みコンテナでは、後倒側板７を起立させた後に先倒側板３を起立させれば、該先倒側板３の両端縁が弾性爪片２０を自然と外側に押圧し該弾性爪片が該先倒側板の両端縁に係合するとともに、内向耳片１５が凹窪面１２に重合し該内向耳片１５に形成された係合爪１３が透孔１６に係合することにより、後倒側板７と先倒側板３とがワンタッチで確実に連結され、簡単にして強固に組み立てられる。
【００１１】
そして、この組み立て状態にては、図１に示されるように、当該コンテナの上端開口縁は後倒側板７の内向延長縁１４の上端部１８と先倒側板３の上端角部１７とが対峙し、内向耳片１５および凹窪面１２は当該コンテナの上端開口縁に現れないので、該上端開口縁上に重量物をスライドさせても、該重量物が肉薄なる内向耳片１５や凹窪面１２に当たることなく、この連結部を変形，破損から保護することができ、外部からの衝撃にも頗る強くなる。
【００１２】
また、後倒側板７に内向耳片１５を上端部１８より少し下側から下方に延びるように形成したことから、折り畳み時を図３に示したように、該内向耳片１５が先倒側板３の軸受部２に衝突しなくなるので、軸受部２を中央部に位置させることで該先倒側板３をより安定的に軸支でき、中央部の強度が上がり変形が防がれ耐久性も向上する。このため特に図３に示されるように、折り畳み時に一対の後倒側板７の上端縁が当該コンテナの略々中心で互いに接近するものにおいては、上記のように先倒側板３の中央部の強度を維持し易くなる。
【００１３】
【発明の効果】
このように本発明の折り畳みコンテナは、先倒側板の両端縁に該先倒側板の外面より凹窪した凹窪面を該先倒側板の上端角部より少し下側から下方に延びるように形成し、該凹窪面に係合爪を突設するとともに、後倒側板の両端縁に内向延長縁を形成し、起立時に前記凹窪面に重合する内向耳片を該内向延長縁の上端部より少し下側から下方に延びるように形成し、該内向耳片に前記係合爪が係合する透孔を形成してなるので、後倒側板と先倒側板とをワンタッチで強固に連結できるとともに、内向耳片等の肉薄なる部分が当該コンテナの上端開口縁に現れることなく強度が向上し、変形，破損が防止され、この種の折り畳みコンテナの耐久性を向上させる顕著な効果がある。
【図面の簡単な説明】
【図１】本発明に係る折り畳みコンテナの実施形態を示す斜視図。
【図２】図１の折り畳みコンテナの折り畳み途中の斜視図。
【図３】図１の折り畳みコンテナの折り畳み状態の斜視図。
【図４】本発明に係る折り畳みコンテナの実施形態を示す底板の斜視図。
【図５】図１の折り畳みコンテナのＡ−Ａ線断面図。
【図６】図１の折り畳みコンテナのＢ−Ｂ線断面図。
【図７】図１の折り畳みコンテナのＣ−Ｃ線断面図。
【符号の説明】
１　　　底板
２　　　軸受部
３　　　先倒側板
４　　　支軸
５　　　起立壁
６　　　軸受部
７　　　後倒側板
８　　　支軸
１２　　凹窪面
１３　　係合爪
１４　　内向延長縁
１５　　内向耳片
１６　　透孔
１７　　上端角部
１８　　上端部
２０　　弾性爪片
【図１】
2004051115.tif 000003
【図２】
2004051115.tif 000004
【図３】
2004051115.tif 000005
【図４】
2004051115.tif 000006
【図５】
2004051115.tif 000007
【図６】
2004051115.tif 000008
【図７】
2004051115.tif 000009